(57)【要約】
　【課題】　色彩や宣伝広告文の変更が可能であるため、ボトル本体に汎用性があり、何度も再現できる経済的な自動販売機用のダミー体を提供する。
　【解決手段】　透明なボトル本体７の胴部７ａに商品表示ラベル８を巻き付け固定し、ボトル本体７の上部に、当該ボトル本体７の肩部７ｂと密着し、且つ、商品飲料の液色又はボトル缶色に着色された樹脂製の薄肉被覆体９を着脱可能な状態に装着してダミー体４を構成する。
　【選択図】　図２
0003099256.tif 000002
【実用新案登録請求の範囲】
【請求項１】
　ボトル本体の上部に、当該ボトル本体の肩部と密着する樹脂製の薄肉被覆体を着脱可能な状態に装着して成る自動販売機用のダミー体。
【請求項２】
　透明なボトル本体の胴部に商品表示ラベルを巻き付け固定し、ボトル本体の上部に、当該ボトル本体の肩部と密着し、且つ、商品飲料の液色に着色された樹脂製の薄肉被覆体を着脱可能な状態に装着して成る自動販売機用のダミー体。
【請求項３】
　透明なボトル本体の胴部に商品表示ラベルを巻き付け固定し、ボトル本体の上部に、当該ボトル本体の肩部と密着し、且つ、ボトル缶色に着色された樹脂製の薄肉被覆体を着脱可能な状態に装着して成る自動販売機用のダミー体。
【請求項４】
　請求項１〜３の何れかに記載の自動販売機用のダミー体であって、前記薄肉被覆体に宣伝広告用文字が印刷されて成る自動販売機用のダミー体。
【考案の詳細な説明】
【技術分野】
【０００１】
　本考案は、ボトル缶（金属製の壜型缶）や、ペットボトルに入れられた飲料（例えば、ジュース、コーヒー、ビールなど）の自動販売機に使用されるダミー体に関するものである。
【背景技術】
【０００２】
　ペットボトルに入れられた飲料のダミー体としては、ボトル本体の胴部に商品表示ラベルを巻き付け固定する一方、ボトル本体の肩部と首部との境界近傍部まで、飲料の液色（例えば、オレンジジュースやグレープジュースと同じ色）に塗装して、恰も液面が見えるように工夫したものが知られている。
【０００３】
　また、商品アピール用のキャッチコピーや、「新発売」とか「抽選券付き」といった期間限定的な宣伝広告などをボトル缶やペットボトルのボトル本体に直接、印刷して、販売促進を図ることがある。
【０００４】
　しかしながら、これらによる場合は、ボトル本体に直接、塗装や印刷を施すため、コストが高く付き、色彩や宣伝広告文の変更が不可能であるため、ボトル本体の汎用性がないことと相まって、非常に不経済である。また、ボトル本体が着色されていると、リサイクルに適しない。
【考案の開示】
【考案が解決しようとする課題】
【０００５】
　本考案は、上記の事柄に留意してなされたもので、その目的とするところは、色彩や宣伝広告文の変更が可能であるため、ボトル本体に汎用性があり、何度も再現できる経済的なダミー体を提供することにある。
【課題を解決するための手段】
【０００６】
　上記目的を達成するために、本考案が講じた技術的手段は、次のとおりである。即ち、請求項１に記載の考案による自動販売機用のダミー体は、ボトル本体の上部に、当該ボトル本体の肩部と密着する樹脂製の薄肉被覆体を着脱可能な状態に装着して構成したものである。
【０００７】
　請求項２に記載の考案による自動販売機用のダミー体は、透明なボトル本体の胴部に商品表示ラベルを巻き付け固定し、ボトル本体の上部に、当該ボトル本体の肩部と密着し、且つ、商品飲料の液色に着色された樹脂製の薄肉被覆体を着脱可能な状態に装着して構成したものである。
【０００８】
　請求項３に記載の考案による自動販売機用のダミー体は、透明なボトル本体の胴部に商品表示ラベルを巻き付け固定し、ボトル本体の上部に、当該ボトル本体の肩部と密着し、且つ、ボトル缶色に着色された樹脂製の薄肉被覆体を着脱可能な状態に装着して構成したものである。
【０００９】
　尚、請求項４に記載の考案のように、請求項１〜３の何れかに記載の自動販売機用のダミー体において、前記薄肉被覆体に、商品アピール用のキャッチコピーや、「新発売」とか「抽選券付き」といった期間限定的な宣伝広告などの宣伝広告用文字を印刷して、実施してもよい。また、本考案に係るダミー体としては、ボトル本体がボトル形状とされたいわゆる丸形ダミー体、ボトル本体が縦に二つ割りしたボトル形状とされたいわゆるハーフダミー体の何れであってもよい。
【考案の効果】
【００１０】
　上記の構成によれば、ボトル本体の上部に装着する薄肉被覆体に、特定商品のダミー体として必要な色彩、宣伝広告用の文字などを印刷することにより、それに対応するボトル本体への塗装や印刷が不要になり、また、薄肉被覆体を取り替えることで、色彩や広告文の変更が可能であるため、ボトル本体に汎用性があり、何度も再現できるダミー体を低コストで実現できる。
【００１１】
　殊に、請求項２に記載の考案の構成によれば、商品飲料の液色に着色された薄肉被覆体を着脱自在に装着してあるので、薄肉被覆体を液色の違うものと交換することによって、例えば、オレンジジュース、グレープジュース、トマトジュース等々、多種類の商品飲料のダミー体を再現でき、また、ボトル本体が透明であるため、塗装や印刷の費用を節減できるばかりでなく、商品表示ラベルを巻き付ける胴部の光透過性が向上し、内側からのライトアップによる商品アピール力を高めることができ、しかも、商品表示ラベルと透明なボトル本体と薄肉被覆体とに分離できるので、リサイクルも容易になる利点がある。
【００１２】
　また、請求項３に記載の考案の構成によれば、胴部に商品表示ラベルを巻き付け固定した透明なボトル本体の上部に、ボトル缶色に着色された樹脂製の薄肉被覆体を取り付けるので、ボトル本体をボトル缶色に塗装しなくても、ボトル缶のダミー体を構成でき、請求項２に記載の考案と同様、商品表示ラベルと透明なボトル本体と薄肉被覆体とに分離できので、リサイクルも容易である。
【考案を実施するための最良の形態】
【００１３】
　以下、本考案の実施形態を、図面を参照しながら説明する。図１は、飲料の自動販売機を示し、この自動販売機は、前面に商品補充用の開閉可能な扉１を備えている。扉１の上部には、ダミー体展示室２が、例えば上下二段に形成されている。各ダミー体展示室２の底面を形成するステージ３には、図１、図２に示すように、ダミー体４の取付孔５が複数ずつ形成されている。ステージ３の下部には、照明用の光源（例えば蛍光灯）６が設けられており、ダミー体４を下方からライトアップするように構成されている。
【００１４】
　前記ダミー体４は、図２、図３に示すように、透明なボトル本体７の胴部７ａに商品表示ラベル８を巻き付け固定し、ボトル本体７の上部に、当該ボトル本体７の肩部７ｂと密着し、且つ、商品飲料の液色（例えば、オレンジジュースやグレープジュースと同じ色）に着色された樹脂製の薄肉被覆体９を着脱可能な状態に装着して構成されている。
【００１５】
　前記ボトル本体７は、例えばポリプロピレン、ポリカーボネイト、ポリエチレンテレフタレート等およびそれらの再生品など、耐熱性、耐候性に優れた樹脂を材料として作製されたもので、横断面形状が略円形に形成されている。薄肉被覆体９も、ボトル本体７と同様、例えば、ポリプロピレン、ポリカーボネイト、ポリエチレンテレフタレート等およびそれらの再生品などによって真空成形等により作製されたもので、ボトル本体７の肩部７ｂと密着する断面形状に形成されている。
【００１６】
　また、図示の薄肉被覆体９は、ボトル本体７の胴部７ａと肩部７ｂの境界（換言すれば、商品表示ラベル８の上端位置）からボトル本体７の肩部７ｂと首部７ｃの境界より若干低い位置（ペットボトル入り飲料における一般的な液面の位置）に達する上下幅に設定され、厚さは、例えば０．１〜０．３ｍｍ程度に設定されている。
【００１７】
上記の構成によれば、ボトル本体７の上部に、当該ボトル本体７の肩部７ｂと密着し、且つ、商品飲料の液色に着色された薄肉被覆体９が装着されているので、ボトル本体７に塗装や印刷を施さなくても、ボトル本体７の内部にオレンジジュースやグレープジュース等の飲料が充填されているが如き外観が得られることになり、薄肉被覆体９を液色の違うものと交換することによって、例えば、オレンジジュース、グレープジュース、トマトジュース等々、多種類の商品飲料のダミー体を再現でき、非常に経済的である。
【００１８】
　しかも、ボトル本体７が透明であるため、商品表示ラベル８を巻き付ける胴部７ａの光透過性が向上し、内側からのライトアップによる商品アピール力を高めることができる。  
【００１９】
　また、商品表示ラベル８と透明なボトル本体７と薄肉被覆体９とに分離できるので、リサイクルも容易である。
【００２０】
　図４は、他の実施形態を示し、薄肉被覆体９を、ボトル本体７の肩部７ｂと密着する下広がりの湾曲面部９ａと、首部７ｃの下端部（肩部７ｂと首部７ｃとの境界より若干高い位置）と密着する軸長の短い円筒状部９ｂとで構成した点に特徴がある。
【００２１】
　この構成によれば、薄肉被覆体９をボトル本体７の上部に取り付けた際、肩部７ｂと首部７ｃとの境界近傍部まで飲料が充填された如き外観が得られることになる。その他の構成及び作用は、図３の実施形態と同じであるため、説明を省略する。
【００２２】
　図５は、他の実施形態を示す。この実施形態では、ボトル本体７の背面が肩部７ｂの下端近傍まで平坦に成形され、この平坦な背面に商品表示ラベル８の両側縁を弾性的に挟持する挟持部材１０が取り付けられている。そして、薄肉被覆体９は、その下端近傍に、肩部７ｂの平坦面Ｓと面接触する平坦面１１を有する断面形状に成形されている。
【００２３】
　この実施形態によれば、薄肉被覆体９をボトル本体７の上部に装着した状態において、薄肉被覆体９の平坦面１１が肩部７ｂの平坦面Ｓと面接触することによって、薄肉被覆体９がボトル本体７に対して回り止めされることになる。従って、薄肉被覆体９に宣伝広告用文字を印刷して実施する場合、薄肉被覆体９の前後の向きが規定され、宣伝広告用文字の位置が不測にずれる虞がない。その他の構成及び作用は、図３の実施形態と同じであるため、説明を省略する。
【００２４】
　図６は、他の実施形態を示し、ボトル本体７が縦に二つ割りしたボトル形状とされたいわゆるハーフダミー体に本考案を適用した点に特徴がある。薄肉被覆体９としては、ボトル本体７の肩部７ｂと密着する下広がりの湾曲面部９ａだけで構成してもよいが、図示の例では、下広がりの湾曲面部９ａの後辺間を垂直面部９ｃで連結し、横断面形状が略半月形を呈する薄肉被覆体９としている。従って、ボトル本体７が半割り状であるにもかかわらず、薄肉被覆体９をボトル本体７の上部に、粘着剤などを用いずに、安定良く装着することができる。その他の構成及び作用は、図３の実施形態と同じであるため、説明を省略する。
【００２５】
　図７は、他の実施形態を示す。この実施形態は、透明なボトル本体７の胴部７ａに商品表示ラベル８を巻き付け固定し、ボトル本体７の上部に、当該ボトル本体７の肩部７ｂと密着し、且つ、ボトル缶色に着色された樹脂製の薄肉被覆体９を着脱可能な状態に装着して、ボトル缶タイプのダミー体４を構成した点に特徴がある。
【００２６】
　前記薄肉被覆体９は、ボトル本体７の肩部７ｂと密着する下広がりの湾曲面部９ａと、ボトル本体７の首部７ｃと密着する円筒状部９ｂとを有する。１２は、ボトル本体７や薄肉被覆体９とは別個に成形されたキャップであり、ボトル本体７の上部に薄肉被覆体９を取り付けた後、薄肉被覆体９の円筒状部９ｂの上からボトル本体７の首部７ｃに嵌着される。
【００２７】
　上記の構成によれば、胴部７ａに商品表示ラベル８を巻き付け固定した透明なボトル本体７の上部に、ボトル缶色に着色された樹脂製の薄肉被覆体９を取り付けるので、ボトル本体７をボトル缶色に塗装する必要がなく、ボトル缶のダミー体４を低コストで実現できる。また、商品表示ラベル８と透明なボトル本体７と薄肉被覆体９とに分離できるので、リサイクルも容易である。その他の構成及び作用は、図５の実施形態と同じであるため、説明を省略する。
【００２８】
　図８と図９は、各々、別の実施形態を示す。図８の実施形態は、商品飲料の液色に着色された薄肉被覆体９に、宣伝広告用文字（例えば、商品アピール用のキャッチコピーや「新発売」とか「抽選券付き」といった期間限定的な宣伝広告文）ａを印刷した点に特徴があり、図９の実施形態は、透明な薄肉被覆体９に、宣伝広告用文字ａを印刷した点に特徴がある。
【００２９】
　これらの薄肉被覆体９をボトル本体の上部に装着してダミー体を構成すれば、ボトル本体への宣伝広告用文字ａの印刷が不要になり、また、薄肉被覆体９を取り替えることで、広告文の変更が可能であるため、期間限定的な宣伝広告に特に有効である。
【図面の簡単な説明】
【００３０】
【図１】一部を取り出して拡大図示した自動販売機の斜視図である。
【図２】本考案に係る自動販売機用のダミー体を例示する斜視図である。
【図３】分解斜視図である。
【図４】他の実施形態を示すダミー体の分解斜視図である。
【図５】他の実施形態を示すダミー体の分解斜視図である。
【図６】他の実施形態を示すダミー体の分解斜視図である。
【図７】他の実施形態を示すダミー体の分解斜視図である。
【図８】他の実施形態を示す薄肉被覆体の斜視図である。
【図９】他の実施形態を示す薄肉被覆体の斜視図である。
【符号の説明】
【００３１】
　４…ダミー体、７…ボトル本体、７ａ…胴部、７ｂ…肩部、８…商品表示ラベル、９…薄肉被覆体。
【図１】
0003099256.tif 000003
【図２】
0003099256.tif 000004
【図３】
0003099256.tif 000005
【図４】
0003099256.tif 000006
【図５】
0003099256.tif 000007
【図６】
0003099256.tif 000008
【図７】
0003099256.tif 000009
【図８】
0003099256.tif 000010
【図９】
0003099256.tif 000011